(57)【要約】【課題】小型化を実現しつつ、画像の読取品質の低下を抑制できる画像読取装置を提供する。【解決手段】画像読取装置１において、周壁１２Ｂは、走査方向に延びる側壁１３を有する。配線ケーブル５０は、底壁面１１に沿って基端側から終端側に延びる第１伸長部５１と、第１伸長部５１に連続し、プラテン１９に接近するように湾曲して基端側に向きを変える湾曲部５３と、湾曲部５３に連続し、プラテン１９に沿って基端側に延びる第２伸長部５２とを有する。第１伸長部５１、湾曲部５３及び第２伸長部５２は、走査方向と直交する幅方向の端縁が側壁１３に沿って配線される部分を有する。底壁面１１と側壁１３との間又は底壁面１１には、第１伸長部５１に当接することによって第２伸長部５２の側壁１３に沿う端縁５２Ｂを側壁１３から離間させる接触防止部１００が設けられている。【選択図】図５
2014110439.tif 000002
【特許請求の範囲】
【請求項１】
底壁面と、前記底壁面から突出し、内側に収容領域を形成する周壁とを有するベース部材と、
前記周壁によって支持され、前記底壁面と間隔を有して対向するとともに、前記収容領域を覆うプラテンと、
前記収容領域内を基端側から終端側まで延びる走査方向に往復動する移動体と、
前記収容領域内で前記プラテンに対向するように前記移動体に支持され、前記移動体の往復動により、前記プラテンに配置される被読取媒体の画像を読み取る読取部と、
前記収容領域内で一端側が前記底壁面に固定されるとともに、他端側が前記移動体に連結され、可撓性を有する配線ケーブルとを備え、
前記周壁は、前記走査方向に延びる側壁を有し、
前記配線ケーブルは、前記底壁面に沿って前記基端側から前記終端側に延びる第１伸長部と、前記第１伸長部に連続し、前記プラテンに接近するように湾曲して前記基端側に向きを変える湾曲部と、前記湾曲部に連続し、前記プラテンに沿って前記基端側に延びる第２伸長部とを有し、
前記第１伸長部、前記湾曲部及び前記第２伸長部は、前記走査方向と直交する幅方向の端縁が前記側壁に沿って配線される部分を有し、
前記底壁面と前記側壁との間又は前記底壁面には、前記第１伸長部に当接することによって前記第２伸長部の前記側壁に沿う前記端縁を前記側壁から離間させる接触防止部が設けられていることを特徴とする画像読取装置。
【請求項２】
前記接触防止部は、前記底壁面と前記側壁との間に設けられ、前記底壁面及び前記側壁に対して傾斜し、前記第１伸長部の前記側壁に沿う前記端縁に当接可能に構成された第１傾斜面である請求項１記載の画像読取装置。
【請求項３】
前記第１傾斜面と前記底壁面との交差線と、前記側壁との前記幅方向の距離は、前記移動体に連結される前記第２伸長部の前記他端側と、前記側壁との前記幅方向の距離に略等しい請求項２記載の画像読取装置。
【請求項４】
前記第１傾斜面は、前記走査方向に間隔を有して並び、それぞれが前記幅方向に延びる複数のリブによって形成されている請求項２又は３記載の画像読取装置。
【請求項５】
前記接触防止部は、前記底壁面に設けられ、自己から前記プラテンに向けて延びる垂線が前記側壁に対して離間するように傾斜し、前記第１伸長部の前記底壁面に対向する面に当接可能に構成された第２傾斜面である請求項１記載の画像読取装置。
【請求項６】
前記第２傾斜面は、前記走査方向及び前記幅方向の一方に間隔を有して並び、それぞれが前記走査方向及び前記幅方向の他方に延びる複数のリブによって形成されている請求項５記載の画像読取装置。
【請求項７】
前記底壁面には、前記幅方向において前記第２傾斜面を挟んで前記側壁とは反対側から前記プラテンに向けて突出し、前記第１伸長部の前記幅方向における前記側壁とは反対側に位置する端縁に当接可能に構成されたストッパが設けられている請求項５又は６記載の画像読取装置。
【請求項８】
前記移動体には、前記第２伸長部の前記他端側が前記幅方向において前記側壁側にずれることを規制する規制部が設けられている請求項１乃至７のいずれか１項記載の画像読取装置。
【請求項９】
前記接触防止部は、前記湾曲部が前記走査方向において移動する範囲の全長にわたって形成されている請求項１乃至８のいずれか１項記載の画像読取装置。
【請求項１０】
前記第１伸長部、前記湾曲部及び前記第２伸長部は、前記幅方向において、前記側壁と、前記読取部が前記画像を読み取る読取範囲とに挟まれた配線領域内に配設されている請求項１乃至９のいずれか１項記載の画像読取装置。
【請求項１１】
前記配線ケーブルは、前記第２伸長部の前記他端側から、前記幅方向における前記側壁とは反対側に屈曲されて前記読取範囲側に位置する屈曲部を有し、
前記移動体には、前記第２伸長部と前記屈曲部との間に位置して双方の前記幅方向の間隔を確保するスペーサが設けられている請求項１０記載の画像読取装置。
【発明の詳細な説明】
【技術分野】
【０００１】
本発明は画像読取装置に関する。
【背景技術】
【０００２】
特許文献１に従来の画像読取装置の例が開示されている。この画像読取装置は、ベース部材と、プラテンと、移動体と、読取部と、配線ケーブルとを備えている。
【０００３】
ベース部材は、上面が開口した箱形状であり、底壁面と、底壁面から上方に突出し、内側に収容領域を形成する周壁とを有している。プラテンは、周壁の上縁によって支持されている。プラテンは、底壁面と間隔を有して対向するとともに、収容領域を覆っている。移動体は、収容領域内における基端側から終端側まで延びる走査方向に往復動する。読取部は、収容領域内でプラテンに対向するように移動体に支持されている。配線ケーブルは可撓性を有し、収容領域内で一端側が底壁面に固定されるとともに、他端側が読取部に連結され、さらに移動体に固定されている。また、周壁は、走査方向に延びる側壁を有している。
【０００４】
配線ケーブルは、第１伸長部と、湾曲部と、第２伸長部とを有している。第１伸長部は、底壁面に沿って基端側から終端側に延びている。湾曲部は、第１伸長部に連続し、プラテンに接近するように湾曲して基端側に向きを変えている。第２伸長部は、湾曲部に連続し、プラテンに沿って基端側に延びている。
【０００５】
この画像読取装置では、移動体が走査方向に往復動することにより、読取部が移動体とともに移動し、プラテンに配置される被読取媒体の画像を読み取る。この際、配線ケーブルは、移動体の往復動により湾曲部が走査方向に往復移動し、この移動に伴って、第１伸長部及び第２伸長部の一方が短くなる一方、第１伸長部及び第２伸長部の他方が長くなる。こうして、この画像読取装置では、配線ケーブルが移動体の往復動に追従し、読取部による画像の読取処理を妨げないようになっている。
【先行技術文献】
【特許文献】
【０００６】
【特許文献１】特開２０１１−３００３２号公報
【発明の概要】
【発明が解決しようとする課題】
【０００７】
ところで、上記従来の画像読取装置では、配線ケーブルが走査方向と直交する幅方向において側壁から離れていると、全体が大型化してしまう。
【０００８】
このため、小型化を図るために、配線ケーブルの位置を側壁の近傍に移動させると、第１伸長部、湾曲部及び第２伸長部の幅方向の端縁が側壁に沿ってより近づくように配線される部分を有することになり、湾曲部及び第２伸長部が側壁と接触し易くなる。この場合、側壁が配線ケーブルとの接触により摩耗して粉塵が発生するおそれがある。すると、その粉塵が読取部の近傍に移動することにより、画像の読取品質の低下を招き易い。また、側壁が配線ケーブルに接触することで第２伸長部が振動し、その振動が移動体及び読取部に伝わることにより、画像の読取品質の低下を招き易い。
【０００９】
本発明は、上記従来の実情に鑑みてなされたものであって、小型化を実現しつつ、画像の読取品質の低下を抑制できる画像読取装置を提供することを目的とする。
【課題を解決するための手段】
【００１０】
本発明の画像読取装置は、底壁面と、前記底壁面から突出し、内側に収容領域を形成する周壁とを有するベース部材と、
前記周壁によって支持され、前記底壁面と間隔を有して対向するとともに、前記収容領域を覆うプラテンと、
前記収容領域内を基端側から終端側まで延びる走査方向に往復動する移動体と、
前記収容領域内で前記プラテンに対向するように前記移動体に支持され、前記移動体の往復動により、前記プラテンに配置される被読取媒体の画像を読み取る読取部と、
前記収容領域内で一端側が前記底壁面に固定されるとともに、他端側が前記移動体に連結され、可撓性を有する配線ケーブルとを備え、
前記周壁は、前記走査方向に延びる側壁を有し、
前記配線ケーブルは、前記底壁面に沿って前記基端側から前記終端側に延びる第１伸長部と、前記第１伸長部に連続し、前記プラテンに接近するように湾曲して前記基端側に向きを変える湾曲部と、前記湾曲部に連続し、前記プラテンに沿って前記基端側に延びる第２伸長部とを有し、
前記第１伸長部、前記湾曲部及び前記第２伸長部は、前記走査方向と直交する幅方向の端縁が前記側壁に沿って配線される部分を有し、
前記底壁面と前記側壁との間又は前記底壁面には、前記第１伸長部に当接することによって前記第２伸長部の前記側壁に沿う前記端縁を前記側壁から離間させる接触防止部が設けられていることを特徴とする。
【００１１】
本発明の画像読取装置では、配線ケーブルが有する第１伸長部、湾曲部及び第２伸長部は、走査方向と直交する幅方向の端縁が走査方向に延びる側壁に沿って配線される部分を有している。これにより、この画像読取装置では、配線ケーブルを側壁に接近させることができるので、小型化を実現できる。
【００１２】
また、この画像読取装置では、移動体の往復動により湾曲部が走査方向において移動する際、底壁面と側壁との間又は底壁面に設けられた接触防止部が第１伸長部に当接することによって湾曲部及び第２伸長部を側壁から離間させる。これにより、この画像読取装置では、湾曲部及び第２伸長部と側壁との接触を防止することができる。その結果、この画像読取装置では、側壁の摩耗による粉塵の発生を抑制できるので、その粉塵が読取部の近傍に移動する不具合が発生し難い。また、この画像読取装置では、第２伸長部の振動を抑制できるので、その振動が往復動する移動体及び読取部に伝わる不具合も発生し難い。
【００１３】
したがって、本発明の画像読取装置では、小型化を実現しつつ、画像の読取品質の低下を抑制できる。
【００１４】
接触防止部は、底壁面と側壁との間に設けられ、底壁面及び側壁に対して傾斜し、第１伸長部の側壁に沿う端縁に当接可能に構成された第１傾斜面であることが望ましい。
【００１５】
この構成によれば、湾曲部の復元力により第１伸長部が底壁面に向けて付勢されて、第１伸長部の側壁に沿う端縁が側壁に近づくような動きをし、第１伸長部が第１傾斜面に当接すると、第１伸長部が第１傾斜面に沿って側壁から離間し、かつ底壁面に接近するように滑る。このため、第１伸長部の滑りに伴って、湾曲部及び第２伸長部も側壁から離間する。こうして、この画像読取装置では、第１傾斜面により、湾曲部及び第２伸長部と側壁との接触を確実に防止することができるので、側壁の摩耗による粉塵の発生を一層抑制できるとともに、第２伸長部の振動を一層抑制できる。
【００１６】
第１傾斜面と底壁面との交差線と、側壁との幅方向の距離は、移動体に連結される第２伸長部の他端側と、側壁との幅方向の距離に略等しいことが望ましい。この構成によれば、第１伸長部が第１傾斜面に沿って側壁から離間し、かつ底壁面に接近するように滑った後、第１伸長部と第２伸長部とが正対し易いので、配線ケーブルを捩じるような力が作用し難くなり、配線ケーブルの姿勢が安定する。
【００１７】
第１傾斜面は、走査方向に間隔を有して並び、それぞれが幅方向に延びる複数のリブによって形成されていることが望ましい。この構成によれば、第１傾斜面が複数のリブによって形成されていることにより、第１伸長部と第１傾斜面との接触面積を減らすことができ、湾曲部が走査方向においてスムーズに移動できる。
【００１８】
接触防止部は、底壁面に設けられ、自己からプラテンに向けて延びる垂線が側壁に対して離間するように傾斜し、第１伸長部の底壁面に対向する面に当接可能に構成された第２傾斜面であることが望ましい。
【００１９】
この構成によれば、湾曲部の復元力により第１伸長部が底壁面に向けて付勢されて、第１伸長部の底壁面に対向する面に第２傾斜面が当接すると、第１伸長部が第２傾斜面に沿って傾斜する。ここで、第２傾斜面からプラテンに向けて延びる垂線が側壁に対して離間するように傾斜している。このため、第１伸長部が第２傾斜面に当接することによる第１伸長部の傾斜に伴って、湾曲部及び第２伸長部も側壁から離間する。こうして、この画像読取装置では、第２傾斜面により、湾曲部及び第２伸長部と側壁との接触を確実に防止することができるので、側壁の摩耗による粉塵の発生を一層抑制できるとともに、第２伸長部の振動を一層抑制できる。
【００２０】
第２傾斜面は、走査方向及び幅方向の一方に間隔を有して並び、それぞれが走査方向及び幅方向の他方に延びる複数のリブによって形成されていることが望ましい。この構成によれば、第２傾斜面が複数のリブによって形成されていることにより、第１伸長部と第２傾斜面との接触面積を減らすことができ、湾曲部が走査方向においてスムーズに移動できる。
【００２１】
底壁面には、幅方向において第２傾斜面を挟んで側壁とは反対側からプラテンに向けて突出し、第１伸長部の幅方向における側壁とは反対側に位置する端縁に当接可能に構成されたストッパが設けられていることが望ましい。この構成によれば、ストッパにより、第１伸長部が幅方向における側壁とは反対側にずれ過ぎることを防止できるので、湾曲部が走査方向においてスムーズに移動できる。
【００２２】
移動体には、第２伸長部の他端側が幅方向において側壁側にずれることを規制する規制部が設けられていることが望ましい。この構成によれば、規制部により、移動体に近い第２伸長部の他端側と側壁との接触を防止できるので、側壁の摩耗による粉塵の発生を一層抑制できるとともに、第２伸長部の振動を一層抑制できる。
【００２３】
接触防止部は、湾曲部が走査方向において移動する範囲の全長にわたって形成されていることが望ましい。この構成によれば、湾曲部が走査方向において移動するのに伴って長さが変化する第１伸長部に接触防止部が確実に当接し、湾曲部及び第２伸長部と側壁との接触を確実に防止することができる。
【００２４】
第１伸長部、湾曲部及び第２伸長部は、幅方向において、側壁と、読取部が画像を読み取る読取範囲とに挟まれた配線領域内に配設されていることが望ましい。
【００２５】
この構成によれば、幅方向において、側壁と、読取部が被読取媒体の画像を読み取る読取範囲とに挟まれた配線領域を狭くし、その狭くなった配線領域内に配線ケーブルの第１伸長部、第２伸長部及び湾曲部を配設することにより、装置の小型化を実現できる。また、この画像読取装置では、接触防止部が第１伸長部に当接することによって湾曲部及び第２伸長部を側壁から離間させる。これにより、この画像読取装置では、配線領域を狭くしても、湾曲部及び第２伸長部と側壁との接触を防止することができるので、側壁の摩耗による粉塵の発生を抑制できるとともに、第２伸長部の振動を抑制できる。その結果、この画像読取装置では、配線領域を狭くしても、画像の読取品質の低下を抑制できる。また、配線領域は、読取部の読取範囲と重ならないため、配線ケーブルが読取部による画像の読取に影響を及ぼすことがない。
【００２６】
配線ケーブルは、第２伸長部の他端側から、幅方向における側壁とは反対側に屈曲されて読取範囲側に位置する屈曲部を有していることが望ましい。そして、移動体には、第２伸長部と屈曲部との間に位置して双方の幅方向の間隔を確保するスペーサが設けられていることが望ましい。この構成によれば、配線ケーブルが屈曲部を有することにより、移動体に対する配線ケーブルの接続自由度が向上する。また、スペーサにより、第２伸長部と屈曲部との接触を防止できる。
【図面の簡単な説明】
【００２７】
【図１】実施例１の画像読取装置の斜視図である。
【図２】実施例１の画像読取装置の模式側面図である。
【図３】実施例１の画像読取装置に係り、プラテンガラスを取り除いた状態のベース部材、キャリッジ、読取部及び走査機構等を示す斜視図である。
【図４】実施例１の画像読取装置に係り、プラテンガラスを取り除いた状態のベース部材、キャリッジ、読取部及び走査機構等を示す上面図である。
【図５】実施例１の画像読取装置に係り、図３の一部を拡大した部分斜視図である。
【図６】実施例１の画像読取装置に係り、図４のＡ−Ａ断面を示す部分断面図である。
【図７】実施例１の画像読取装置に係り、配線ケーブルにおける第２伸長部及び屈曲部を示す部分斜視図である。
【図８】実施例１の画像読取装置に係り、図６と同様の部分断面図であって、配線ケーブルに対する第１傾斜面の作用を説明する図である。
【図９】実施例１の画像読取装置に係り、図６と同様の部分断面図であって、配線ケーブルに対する第１傾斜面の作用を説明する図である。
【図１０】実施例２の画像読取装置に係り、図５と同様の部分斜視図である。
【図１１】実施例３の画像読取装置に係り、図６と同様の断面を示す部分断面図である。
【図１２】実施例３の画像読取装置に係り、図１１と同様の部分断面図であって、配線ケーブルに対する第２傾斜面の作用を説明する図である。
【図１３】実施例３の画像読取装置に係り、図１１と同様の部分断面図であって、配線ケーブルに対する第２傾斜面の作用を説明する図である。
【図１４】実施例４の画像読取装置に係り、図１１と同様の断面を示す部分断面図である。
【発明を実施するための形態】
【００２８】
以下、本発明を具体化した実施例１〜４を図面を参照しつつ説明する。
【００２９】
（実施例１）
図１に示すように、実施例１の画像読取装置１は、本発明の画像読取装置の具体的態様の一例である。図１では、操作パネル５が設けられた側を装置の前側と規定し、操作パネル５に向かった場合に左手に来る側を左側と規定して、前後、左右及び上下の各方向を表示する。そして、図２以降の各図に示す各方向は、全て図１に示す各方向に対応させて表示する。以下、図１等に基づいて、画像読取装置１が備える各構成要素について説明する。
【００３０】
＜全体構成＞
図１及び図２に示すように、画像読取装置１は、本体部８と開閉部９とを備えている。本体部８は、扁平な略箱状体であり、その前側には、図１に示す操作パネル５が設けられている。図２に示すように、本体部８の上面には、プラテンガラス１９が配設され、そのプラテンガラス１９の上面が図２に示す載置面８Ａとされている。プラテンガラス１９は、本発明の「プラテン」の一例である。載置面８Ａには、原稿を静止させた状態で読み取る際に、原稿が載置される。原稿は、用紙やＯＨＰシート等の枚葉体である。原稿は、本発明の「被読取媒体」の一例である。
【００３１】
図１に示すように、開閉部９は、本体部８の後面側上端縁に配設された図示しないヒンジにより、左右方向に延びる開閉軸心Ｘ９周りに揺動可能に本体部８に支持されている。開閉部９は、図１に実線で示すように、閉じた状態では載置面８Ａを上方から覆っている。その一方、開閉部９は、図１に二点鎖線で示すように、その前側が上方かつ後方に変位するように開閉軸心Ｘ９周りに揺動することにより、載置面８Ａの上方を開放する。これにより、ユーザは読取対象の原稿を載置面８Ａに載置することができる。
【００３２】
図１及び図２に示すように、開閉部９の上側には、原稿台９Ａが開閉可能に設けられている。また、開閉部９内には、図２に示すように、自動原稿搬送機構４が配設されている。自動原稿搬送機構４は周知のものであるので説明は簡略するが、開いた状態の原稿台９Ａに載置される複数枚の原稿を１枚ずつ分離し、搬送経路Ｐ１に沿って順次搬送する。
【００３３】
本体部８の下側部分には、画像形成ユニットＦが設けられている。図示は省略するが、画像形成ユニットＦには、インクジェット方式又はレーザ方式等の画像形成部が収容されている。本体部８の上側部分には、画像読取ユニットＲが設けられている。画像読取ユニットＲは、図３〜図６に示すベース部材１０、ベース部材１０に対して上側から組み付けられる図示しない枠体、及び図２及び図６に示すプラテンガラス１９等を有して構成されている。図３〜図５ではプラテンガラス１９の図示を省略している。
【００３４】
図３〜図６に示すように、ベース部材１０は、熱可塑性樹脂の射出成形品である。ベース部材１０には、底壁面１１及び周壁１２Ａ、１２Ｂ、１２Ｌ、１２Ｒ等が形成されている。
【００３５】
底壁面１１は、略水平に延在する略矩形平面である。周壁１２Ａ、１２Ｂ、１２Ｌ、１２Ｒはそれぞれ、底壁面１１の前後左右の端縁から上方に向けて突出している。後側の周壁１２Ｂは、左右方向に延びる側壁１３と、側壁１３に対して後側に位置し、側壁１３と平行に左右方向に延びる外壁１４とを有している。側壁１３と外壁１４との間には、開閉部９を揺動可能に支持する図示しないヒンジ等が配設されている。前側の周壁１２Ａと、後側の周壁１２Ｂが有する側壁１３と、左側の周壁１２Ｌと、右側の周壁１２Ｒとは、底壁面１１を囲うことにより、その内側に収容領域１０Ａを形成している。収容領域１０Ａには、キャリッジ２０、読取部３、配線ケーブル５０及び走査機構３０が収容されている。キャリッジ２０は、本発明の「移動体」の一例である。
【００３６】
プラテンガラス１９は、前側の周壁１２Ａと、後側の周壁１２Ｂが有する側壁１３と、左側の周壁１２Ｌと、右側の周壁１２Ｒとによって自己の周縁が下側から支持された状態で、図示しない枠体が自己の周縁に対して上側から当接しつつ、ベース部材１０に組み付けられることにより、本体部８に固定されている。図６に示すように、プラテンガラス１９は、底壁面１１と間隔を有して対向するとともに、収容領域１０Ａを覆っている。
【００３７】
図３及び図４に示すように、底壁面１１上には、金属丸棒であるガイドシャフト２９が配設されている。ガイドシャフト２９は、底壁面１１における前後方向の略中央に位置して、左右方向に延びている。ガイドシャフト２９の左端は、左側の周壁１２Ｌの下部に固定されている。ガイドシャフト２９の右端は、右側の周壁１２Ｒの下部に固定されている。ガイドシャフト２９の右端側は、本発明の「基端側」の一例である。ガイドシャフト２９の左端側は、本発明の「終端側」の一例である。ガイドシャフト２９が延びる左右方向は、本発明の「走査方向」の一例である。
【００３８】
キャリッジ２０は、前後方向に細長い樹脂製部材であり、前側の周壁１２Ａ及び後側の側壁１３の近傍まで延びている。キャリッジ２０は、ガイドシャフト２９に案内されることにより、底壁面１１の上側で、左側の周壁１２Ｌの近傍から右側の周壁１２Ｒの近傍まで左右方向に往復動可能となっている。
【００３９】
読取部３は、キャリッジ２０に搭載されている。読取部３は、収容領域１０Ａ内でプラテンガラス１９に対向するようにキャリッジ２０に支持されている。読取部３は、ＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）等の周知の画像読取センサである。読取部３は、前後方向において、載置面８Ａに載置される原稿（本装置が読取可能とする最大サイズの原稿）の前後幅を越える程度の長さを有している。
【００４０】
図３〜図５に示すように、配線ケーブル５０は、複数本の被覆電線が帯状に接続されてなり、可撓性を有するフレキシブルフラットケーブルである。配線ケーブル５０の一端５０Ａ側は、収容領域１０Ａ内で底壁面１１に固定されている。配線ケーブル５０の一端５０Ａ側は、側壁１３の左右方向の中間部に対して前側に位置している。図４に示すように、配線ケーブル５０は、一端５０Ａ側からさらに延びて側壁１３と外壁１４との間を通過し、本体部８内に設けられた図示しない制御部に電気的に接続されている。配線ケーブル５０は、その他端５０Ｂ側がキャリッジ２０に固定され、その先において、読取部３と図示しないコネクタを介して電気的に接続されている。
連結されている。
【００４１】
より詳しくは、図３〜図６に示すように、配線ケーブル５０は、第１伸長部５１と、湾曲部５３と、第２伸長部５２と、屈曲部５５とを有している。
【００４２】
図５に示すように、第１伸長部５１は、底壁面１１に固定された配線ケーブル５０の一端５０Ａ側から底壁面１１に沿って左側に向かって延びている。湾曲部５３は、第１伸長部５１に連続し、プラテンガラス１９に接近するように半円弧状に湾曲して右側に向きを変えている。第２伸長部５２は、湾曲部５３に連続し、プラテンガラス１９に沿って右側に延びている。
【００４３】
配線ケーブル５０が可撓性を有することにより、湾曲部５３は復元力を蓄えつつ湾曲している。プラテンガラス１９により上方向への変位が規制される配線ケーブル５０では、この湾曲部５３の復元力により、第１伸長部５１が底壁面１１に向かって付勢され、第２伸長部５２がプラテンガラス１９に向かって付勢されている。
【００４４】
配線ケーブル５０の幅方向は、走査方向である左右方向と直交する前後方向である。図５、図８及び図９に示すように、第１伸長部５１の後側の端縁５１Ｂ、湾曲部５３の後側の端縁５３Ｂ及び第２伸長部５２の後側の端縁５２Ｂは、側壁１３に沿って配線される部分を有している。
【００４５】
図５に示すように、キャリッジ２０の後端側には、ケーブル保持部２１が左側に向けて突出するように設けられている。ケーブル保持部２１の後端には、上側に向けてリブ状に突出する規制部２７が形成されている。規制部２７は、第２伸長部５２の右端側が前後方向において側壁１３側にずれることを規制する。
【００４６】
図５及び図７に示すように、屈曲部５５は、第２伸長部５２の右端側から側壁１３とは反対側に向けて、すなわち前側に向けて複数回屈曲された後、ケーブル保持部２１の下側に潜り込むように湾曲して、配線ケーブル５０の他端５０Ｂまで延びている。
【００４７】
図５に示すように、ケーブル保持部２１における規制部２７の前側には、上側に向けてリブ状に突出するスペーサ２８が設けられている。スペーサ２８は、第２伸長部５２の右端側と屈曲部５５との間に位置して双方の前後方向の間隔を確保している。
【００４８】
このような構成である配線ケーブル５０により、キャリッジ２０に搭載された読取部３と図示しない制御部とが電気的に接続されている。
【００４９】
図３及び図４に示すように、走査機構３０は、ベース部材１０内にそれぞれ配設された駆動源３０Ｍ、駆動プーリ３１、従動プーリ３２及びタイミングベルト３３を有している。
【００５０】
駆動源３０Ｍは、電動モータと、その電動モータに噛み合う複数個のギヤ群とからなる。駆動源３０Ｍは、左側の周壁１２Ｌに隣接し、かつ、ガイドシャフト２９の左端の近傍に位置している。駆動源３０Ｍは、図示しない制御部に制御されて回転する。
【００５１】
図４に破線で示すように、駆動プーリ３１は、駆動源３０Ｍのギヤ群のうち、電動モータから最も離れたギヤに一体成形されている。駆動プーリ３１は、左側の周壁１２Ｌに隣接し、かつ、ガイドシャフト２９の左端に対して、後側に位置している。駆動プーリ３１は、上下方向に延びる軸心周りに回転可能となっている。
【００５２】
図示しない制御部に制御されて、駆動源３０Ｍの電動モータが回転すると、駆動プーリ３１が回転駆動される。制御部が電動モータの回転方向を切り替えることにより、駆動プーリ３１は、正回転又は逆回転する。駆動プーリ３１について、図４の紙面に向かって反時計方向の回転を正回転とし、時計方向の回転を逆回転とする。
【００５３】
図３及び図４に示すように、従動プーリ３２は、右側の周壁１２Ｒに隣接し、かつ、ガイドシャフト２９の右端に対して、後側に位置している。従動プーリ３２は、上下方向に延びる軸心周りに回転可能となっている。
【００５４】
タイミングベルト３３は、駆動プーリ３１と従動プーリ３２とに巻き掛けられた無端ベルトである。図４に示すように、タイミングベルト３３におけるガイドシャフト２９に沿いながら左右方向に延びる部分は、連結部３３Ａによってキャリッジ２０と連結されている。
【００５５】
駆動プーリ３１が正回転すると、タイミングベルト３３の連結部３３Ａが左側から右側に移動し、キャリッジ２０も左側から右側に移動する。その一方、駆動プーリ３１が逆回転すると、連結部３３Ａが右側から左側に移動し、キャリッジ２０も右側から左側に移動する。こうして、キャリッジ２０と、キャリッジ２０に搭載された読取部３とは、駆動プーリ３１の正回転及び逆回転により、収容領域１０Ａ内を左右方向に往復動可能となっている。図４に、読取部３が画像を読み取る読取範囲Ｒ１を示す。本実施形態における読取範囲Ｒ１の左右方向の長さＬＲ１は、キャリッジ２０とともに移動する読取部３を構成する図示しない読取素子の移動距離に相当する長さである。読取範囲Ｒ１の前後方向の長さＬＲ２は、読取部３を構成する読取素子の構造やその読取方式によって変わり、図４に示す長さＬＲ２より短くなったり、長くなったりする場合もある。図４の例では、主走査方向（前後方向）に並ぶ読取素子の配列長に相当する長さとなっている。また、主走査方向に並ぶ読取素子のうち一端側の一部の素子、他端側の一部の素子を画像の読み取りに使用しない場合には、その一部の素子を除く読取素子の配列長に相当する長さに基づいて、読取範囲を定義することも可能である。側壁１３と、読取範囲Ｒ１とに挟まれた領域は、配線領域Ｗ１である。図３及び図５に示すように、底壁面１１は、配線領域Ｗ１の左側において浅く凹んでいる。配線領域Ｗ１内には、配線ケーブル５０の第１伸長部５１、第２伸長部５２及び湾曲部５３が配設されている。
【００５６】
キャリッジ２０が左側から右側に移動する際、配線ケーブル５０の第２伸長部５２がキャリッジ２０に引っ張られるので、湾曲部５３が右側に向かって移動し、第１伸長部５１が短くなり、第２伸長部５２が長くなる。その一方、キャリッジ２０が右側から左側に移動する際、配線ケーブル５０の第２伸長部５２がキャリッジ２０に押されるので、湾曲部５３が左側に向かって移動し、第１伸長部５１が長くなり、第２伸長部５２が短くなる。図３に、湾曲部５３が左右方向において移動する範囲Ｅ１を示す。こうして、配線ケーブル５０は、キャリッジ２０の往復動に追従し、読取部３による画像の読取処理を妨げないようになっている。
【００５７】
この画像読取装置１では、載置面８Ａに載置された原稿を読み取る場合、走査機構３０が作動し、図２に示すように、キャリッジ２０に搭載された読取部３を本体部８内における左端側から右端側に移動させる。これにより、読取部３は、載置面８Ａに載置された原稿の画像を読み取る。その後、走査機構３０は、読み取りを終えた読取部３を本体部８内における右端側から左端側に移動させ、元の位置に復帰させる。
【００５８】
また、この画像読取装置１では、原稿台９Ａに載置される複数枚の原稿の画像を読み取る場合、図２及び図４に示すように、走査機構３０が作動し、キャリッジ２０に搭載された読取部３を本体部８内における左端側の位置である固定位置に移動させる。そして、自動原稿搬送機構４が原稿台９Ａに載置される原稿を搬送経路Ｐ１に沿って順次搬送すると、その原稿が固定位置にある読取部３の上側を通過するので、読取部３は、その通過する原稿の画像を読み取る。
【００５９】
こうして、この画像読取装置１では、載置面８Ａ又は原稿台９Ａに載置された原稿の画像を読み取ることができる。
【００６０】
＜接触防止部としての第１傾斜面＞
この画像読取装置１では、小型化を実現するため、側壁１３と読取範囲Ｒ１とに挟まれた配線領域Ｗ１を前後方向において狭くし、その狭い配線領域Ｗ１内に配線ケーブル５０の第１伸長部５１、第２伸長部５２及び湾曲部５３を配設している。このため、図３〜図６、図８及び図９に示すように、この画像読取装置１では、底壁面１１と側壁１３との間に、配線ケーブル５０の第２伸長部５２と側壁１３との接触を防止する第１傾斜面１００を設けている。第１傾斜面１００は、本発明の「接触防止部」の一例である。
【００６１】
第１傾斜面１００は、略水平な底壁面１１と略垂直な側壁１３とに対して傾斜する傾斜面である。図６に示すように、第１傾斜面１００と底壁面１１との交差線Ｃ１は、側壁１３に対して前側に離れて、左右方向に延びている。第１傾斜面１００は、交差線Ｃ１から後側に向かって上り傾斜し、側壁１３に接続している。図３に示すように、第１傾斜面１００は、湾曲部５３が左右方向において移動する範囲Ｅ１の全長にわたって連続する平面として形成されている。
【００６２】
図９に示すように、交差線Ｃ１と側壁１３との前後方向の距離をＬ１とする。また、キャリッジ２０に連結される第２伸長部５２の右端側と、側壁１３との前後方向の距離、より詳しくは、規制部２７によって規制される第２伸長部５２の後側の端縁５２Ｂと、側壁１３との前後方向の距離をＬ２とする。距離Ｌ１は、距離Ｌ２に略等しい。
【００６３】
図９は、第１伸長部５１、湾曲部５３及び第２伸長部５２が前後方向においてずれていない状態を示している。そして、図８に示すように、第１伸長部５１、湾曲部５３及び第２伸長部５２が後側にずれて側壁１３に接近しようとする場合、第１伸長部５１の側壁１３に沿う端縁５１Ｂは、第１傾斜面１００に当接するようになる。
【００６４】
図６に示すように、第１傾斜面１００の底壁面１１に対する傾斜角度α１は、少なくとも５°以上であることが好ましく、４５°以上であることがより好ましい。本実施例では、傾斜角度α１は、６０°程度である。傾斜角度α１が大きい程、第１伸長部５１の側壁１３に沿う端縁５１Ｂが第１傾斜面１００に当接する場合に、端縁５１Ｂが第１傾斜面１０に沿って滑って底壁面１１に接近し易くなる。
【００６５】
＜作用効果＞
実施例１の画像読取装置１では、図５に示すように、配線ケーブル５０が有する第１伸長部５１、湾曲部５３及び第２伸長部５２は、後側の端縁５１Ｂ、５２Ｂ、５３Ｂが左右方向に延びる側壁１３に沿って配線される部分を有している。これにより、この画像読取装置１では、配線ケーブル５０を側壁１３に接近させることができるので、小型化を実現できる。特に、この画像読取装置１では、側壁１３と読取範囲Ｒ１とに挟まれた配線領域Ｗ１を前後方向において狭くし、その狭くなった配線領域Ｗ１内に配線ケーブル５０の第１伸長部５１、第２伸長部５２及び湾曲部５３を配設することにより、装置の小型化を実現できる。
【００６６】
また、この画像読取装置１では、キャリッジ２０の往復動により湾曲部５３が左右方向において移動する際、図８に示すように、第１伸長部５１、湾曲部５３及び第２伸長部５２が後側にずれると、第１伸長部５１の側壁１３に沿う端縁５１Ｂが、底壁面１１と側壁１３との間に設けられた接触防止部としての第１傾斜面１００に当接する。特に、この画像読取装置１では、狭くなった配線領域Ｗ１内に配線ケーブル５０の第１伸長部５１、第２伸長部５２及び湾曲部５３が配設されていることにより、第１伸長部５１、第２伸長部５２及び湾曲部５３と側壁１３との前後方向の隙間が狭くなっているので、第１伸長部５１、第２伸長部５２及び湾曲部５３の配線が少しでも傾くと、第１伸長部５１の端縁５１Ｂが第１傾斜面１００に当接し易い。湾曲部５３は、上方向に変位しようとするが、プラテンガラス１９によりその変位が規制され、湾曲部５３の復元力により第１伸長部５１が底壁面１１に向けて付勢される。そうすると、端縁５１Ｂが第１傾斜面１００に当接した状態のまま、第１伸長部５１が第１傾斜面１００に沿って滑る。この際、図９に示すように、第１伸長部５１は、第１傾斜面１００が底壁面１１に向かって下り傾斜していることにより、側壁１３から離間し、かつ底壁面１１に接近するように滑る。このため、第１伸長部５１の滑りに伴って、湾曲部５３及び第２伸長部５２も側壁１３から離間する。
【００６７】
こうして、この画像読取装置１では、第１傾斜面１００により、湾曲部５３の後側の端縁５２Ｂ及び第２伸長部５２の後側の端縁５２Ｂと、側壁１３との接触を確実に防止することができる。その結果、この画像読取装置１では、側壁１３の摩耗による粉塵の発生を抑制できるので、その粉塵が読取部３の近傍に移動する不具合が発生し難い。また、この画像読取装置１では、第２伸長部５２の振動を抑制できるので、その振動が往復動するキャリッジ２０及び読取部３に伝わる不具合も発生し難い。
【００６８】
したがって、実施例１の画像読取装置１では、小型化を実現しつつ、画像の読取品質の低下を抑制できる。
【００６９】
また、この画像読取装置１では、第１傾斜面１００と底壁面１１との交差線Ｃ１と、側壁１３との前後方向の距離Ｌ１は、キャリッジ２０に連結される第２伸長部５２の右端側と、側壁１３との前後方向の距離（より詳しくは、規制部２７によって規制される第２伸長部５２の後側の端縁５２Ｂと、側壁１３との前後方向の距離）Ｌ２に略等しい。これにより、この画像読取装置１では、第１伸長部５１が第１傾斜面１００に沿って側壁１３から離間し、かつ底壁面１１に接近するように滑った後、図９に示すように、第１伸長部５１と第２伸長部５２とが正対し易いので、配線ケーブル５０を捩じるような力が作用し難くなり、配線ケーブル５０の姿勢が安定する。
【００７０】
さらに、この画像読取装置１では、図５及び図９に示すように、キャリッジ２０に設けられた規制部２７により、キャリッジ２０に近い第２伸長部５２の右端側と側壁１３との接触を防止できるので、側壁１３の摩耗による粉塵の発生を一層抑制できるとともに、第２伸長部５２の振動を一層抑制できる。
【００７１】
また、この画像読取装置１では、第１傾斜面１００は、湾曲部５３が左右方向において移動する範囲Ｅ１の全長にわたって形成されている。これにより、この画像読取装置１では、湾曲部５３が左右方向において移動するのに伴って長さが変化する第１伸長部５１の側壁１３に沿う端縁５１Ｂが第１傾斜面１００に確実に当接し、湾曲部５３の後側の端縁５２Ｂ及び第２伸長部５２の後側の端縁５２Ｂと、側壁１３との接触を確実に防止することができる。
【００７２】
さらに、この画像読取装置１では、配線ケーブル５０が屈曲部５５を有することにより、キャリッジ２０に対する配線ケーブル５０の接続自由度が向上する。また、キャリッジ２０に設けられたスペーサ２８が第２伸長部５２と屈曲部５５との間に位置して双方の前後方向の間隔を確保することにより、第２伸長部５２と屈曲部５５との接触を防止できる。
【００７３】
（実施例２）
図１０に示すように、実施例２の画像読取装置では、実施例１の第１傾斜面１００が複数のリブ１１０によって形成されるように変更されている。各リブ１１０は、底壁面１１と側壁１３との間で左右方向に間隔を有して並び、それぞれが前後方向に延びる三角リブである。各リブ１１０の斜辺により、第１傾斜面１００が形成されている。実施例２のその他の構成は、実施例１と同一である。このため、実施例１と同一の構成については同一の符号を付して説明を省略する。
【００７４】
上記構成を備える実施例２の画像読取装置では、実施例１の画像読取装置と同様、小型化を実現しつつ、画像の読取品質の低下を抑制できる。
【００７５】
また、この画像読取装置では、第１傾斜面１００が複数のリブ１１０によって形成されていることにより、第１伸長部５１と第１傾斜面１００との接触面積を減らすことができ、湾曲部５３が左右方向においてスムーズに移動できる。
【００７６】
（実施例３）
図１１〜図１３に示すように、実施例３の画像読取装置では、第１傾斜面１００の代わりに、第２傾斜面２００を採用している。実施例３のその他の構成は、実施例１と同一である。このため、実施例１と同一の構成については同一の符号を付して説明を省略する。
【００７７】
実施例３の画像読取装置では、底壁面１１に、配線ケーブル５０の第２伸長部５２と側壁１３との接触を防止する第２傾斜面２００を設けている。第２傾斜面２００は、本発明の「接触防止部」の一例である。
【００７８】
第２傾斜面２００は、底壁面１１において、第１伸長部５１の底壁面１１に対向する面５１Ｃに当接可能な範囲に形成されている。第２傾斜面２００は、後側に向かって上り傾斜し、側壁１３に接続している。図１１に示すように、第２傾斜面２００からプラテンガラス１９に向けて延びる垂線Ｓ１は、側壁１３に対して離間するように前側に向かって傾斜している。
【００７９】
第２傾斜面２００の底壁面１１に対する傾斜角度α２は、おおよそ１０°〜４５°の範囲内にあることが好ましい。本実施例では、傾斜角度α２は、２０°程度である。図１１等では、傾斜角度α２を実際より大きく描いている。
【００８０】
図示は省略するが、第２傾斜面２００は、湾曲部５３が左右方向において移動する範囲Ｅ１の全長にわたって連続する平面として形成されている。
【００８１】
図１２は、第１伸長部５１、湾曲部５３及び第２伸長部５２が後側にずれた状態を示している。図１３は、第１伸長部５１、湾曲部５３及び第２伸長部５２が前後方向においてずれていない状態を示している。
【００８２】
底壁面１１における第２傾斜面２００より前側には、ストッパ２２０が設けられている。換言すると、ストッパ２２０は、前後方向において第２傾斜面２００を挟んで側壁１３とは反対側に位置している。ストッパ２２０は、上方のプラテンガラス１９に向けて短く突出するリブであり、第２傾斜面２００に沿って左右方向に延びている。これにより、ストッパ２２０は、第１伸長部５１の前後方向における側壁１３とは反対側、すなわち前側に位置する端縁５１Ａに当接可能となっている。
【００８３】
上記構成を備える実施例３の画像読取装置では、キャリッジ２０の往復動により湾曲部５３が左右方向において移動する際、図１２に示すように、第１伸長部５１、湾曲部５３及び第２伸長部５２が後側にずれると、第１伸長部５１の側壁１３に沿う端縁５１Ｂが底壁面１１に設けられた接触防止部としての第２傾斜面２００に当接する。湾曲部５３は、上方向に変位しようとするが、プラテンガラス１９によりその変位が規制される。湾曲部５３の復元力により第１伸長部５１が底壁面１１に向けて付勢される。そうすると、図１３に示すように、第１伸長部５１の底壁面１１に対向する面５１Ｃが第２傾斜面２００に当接し、第１伸長部５１が第２傾斜面２００に沿って傾斜する。ここで、第２傾斜面２００からプラテンガラス１９に向けて延びる垂線Ｓ１が側壁１３に対して離間するように傾斜している。このため、第１伸長部５１が第２傾斜面２００に当接することによる第１伸長部５１の傾斜に伴って、第２伸長部５２の後側の端縁５２Ｂも側壁１３から離間する。こうして、この画像読取装置では、第２傾斜面２００により、湾曲部５３の後側の端縁５３Ｂ及び第２伸長部５２の後側の端縁５２Ｂと、側壁１３との接触を確実に防止することができるので、側壁１３の摩耗による粉塵の発生を一層抑制できるとともに、第２伸長部５２の振動を一層抑制できる。
【００８４】
したがって、実施例３の画像読取装置では、実施例１、２の画像読取装置と同様、小型化を実現しつつ、画像の読取品質の低下を抑制できる。
【００８５】
また、この画像読取装置では、底壁面１１に設けられたストッパ２２０が第１伸長部５１の前側の端縁５１Ａに当接することにより、第１伸長部５１が前側にずれ過ぎることを防止できるので、湾曲部５３が左右方向においてスムーズに移動できる。
【００８６】
（実施例４）
図１４に示すように、実施例４の画像読取装置では、実施例３の第２傾斜面２００が複数のリブ２１０によって形成されるように変更されている。各リブ２１０は、底壁面１１において、第１伸長部５１の底壁面１１に対向する面５１Ｃに当接可能な範囲に形成されている。各リブ２１０は、前後方向に間隔を有して並び、それぞれが左右方向に延びている。最も前側のリブ２１０から最も後側のリブ２１０に向かって、各リブ２１０の高さが徐々に大きくなっている。各リブ２１０の上端縁により、第２傾斜面２００が形成されている。実施例４のその他の構成は、実施例１と同一である。このため、実施例１と同一の構成については同一の符号を付して説明を省略する。
【００８７】
上記構成を備える実施例４の画像読取装置では、実施例１〜３の画像読取装置と同様、小型化を実現しつつ、画像の読取品質の低下を抑制できる。
【００８８】
また、この画像読取装置では、第２傾斜面２００が複数のリブ２１０によって形成されていることにより、第１伸長部５１と第２傾斜面２００との接触面積を減らすことができ、湾曲部５３が走査方向においてスムーズに移動できる。
【００８９】
以上において、本発明を実施例１〜４に即して説明したが、本発明は上記実施例１〜４に制限されるものではなく、その趣旨を逸脱しない範囲で適宜変更して適用できることはいうまでもない。
【００９０】
例えば、実施例４では、各リブ２１０は、前後方向に間隔を有して並び、それぞれが左右方向に延びているが、この構成に限定されない。例えば、実施例４において、各リブ２１０の代わりに、左右方向に間隔を有して並び、それぞれが前後方向に延びる複数のリブを採用し、その複数のリブにより、第２傾斜面２００が形成されていてもよい。
【００９１】
また、本実施形態の画像読取装置の機能に加え、コピー機能、ファクシミリ機能等の複数の機能を備えた複合機に適用させてもよい。
【産業上の利用可能性】
【００９２】
本発明は画像読取装置又は複合機等に利用可能である。
【符号の説明】
【００９３】
１…画像読取装置、１０…ベース部材、１１…底壁面、１０Ａ…収容領域
１２Ａ、１２Ｂ、１２Ｌ、１２Ｒ…周壁、１３…側壁
１９…プラテン（プラテンガラス）、３…読取部
２０…移動体（キャリッジ）、２７…規制部、２８…スペーサ、５５…屈曲部
５０…配線ケーブル、５０Ａ…配線ケーブルの一端、５０Ｂ…配線ケーブルの他端
５１…第１伸長部、５３…湾曲部、５２…第２伸長部
５１Ａ…第１伸長部の幅方向における側壁とは反対側に位置する端縁
５１Ｂ…第１伸長部の側壁に沿う端縁、５２Ｂ…第２伸長部の側壁に沿う端縁
５１Ｃ…第１伸長部の底壁面に対向する面
１００、２００…接触防止部（１００…第１傾斜面、２００…第２傾斜面）
Ｃ１…第１傾斜面と底壁面との交差線
Ｌ１…第１傾斜面と底壁面との交差線と、側壁との幅方向の距離
Ｌ２…第２伸長部の他端側と側壁との幅方向の距離
１１０…第１傾斜面を形成するリブ
２１０…第２傾斜面を形成するリブ、２２０…ストッパ
Ｓ１…第２傾斜面からプラテンに向けて延びる垂線
Ｅ１…湾曲部が走査方向において移動する範囲、Ｒ１…読取範囲、Ｗ１…配線領域
【図１】
2014110439.tif 000003
【図２】
2014110439.tif 000004
【図３】
2014110439.tif 000005
【図４】
2014110439.tif 000006
【図５】
2014110439.tif 000007
【図６】
2014110439.tif 000008
【図７】
2014110439.tif 000009
【図８】
2014110439.tif 000010
【図９】
2014110439.tif 000011
【図１０】
2014110439.tif 000012
【図１１】
2014110439.tif 000013
【図１２】
2014110439.tif 000014
【図１３】
2014110439.tif 000015
【図１４】
2014110439.tif 000016